(57)【特許請求の範囲】
【請求項１】
モータにより駆動される駆動ローラと、従動ローラと、テンションローラとに掛け回された無端状の中央搬送ベルトと側部搬送ベルトとを有する記録媒体の搬送機構において、
前記中央搬送ベルトは、搬送される前記記録媒体の幅方向の中央に位置し、前記側部搬送ベルトは前記中央搬送ベルトの幅方向の両側にそれぞれ位置しており、
前記中央搬送ベルトは弾性率の高い材料で構成されており、前記側部搬送ベルトは弾性率の低い材料で構成されおり、
前記テンションローラの軸には前記中央搬送ベルトと前記側部搬送ベルトとにテンションを掛るための付勢部材が設けられており、
テンションの掛かっていない状態において、前記側部搬送ベルトの周長は前記中央搬送ベルトの周長に比べて短くなっている、記録媒体の搬送機構。
【請求項２】
前記中央搬送ベルトは、ポリイミドまたはエチレン・４フッ化共重合体で構成され、前記側部搬送ベルトはエチレン−プロピレン−ジエンゴムで構成されている、請求項１に記載の記録媒体の搬送機構。
【請求項３】
前記中央搬送ベルトの裏面には全周にわたって等間隔に刻まれたスリットが設けられており、前記中央搬送ベルトと前記側部搬送ベルトの内周部であり前記駆動ローラと前記従動ローラとの間の位置にプラテンが設けられており、前記プラテンの表面であり、前記スリットに対向する位置にエンコーダセンサが設けられている、請求項１または２に記載の搬送機構。
【請求項４】
前記側部搬送ベルトが、前記中央搬送ベルトの幅方向の両側にそれぞれ複数設けられている、請求項１から３のいずれか１項に記載の搬送機構。
【請求項５】
請求項１から４のいずれか１項に記載の搬送機構を有する、記録装置。
【請求項６】
モータにより駆動される駆動ローラと、従動ローラと、テンションローラとに掛け回された無端状の中央搬送ベルトと側部搬送ベルトとを有する記録媒体の搬送機構における記録媒体の搬送方法であり、
前記中央搬送ベルトと前記側部搬送ベルトとで前記記録媒体の搬送面を形成し、
弾性率の低い材料で構成された前記側部搬送ベルトの周長を弾性率の高い材料で構成された前記中央搬送ベルトの周長よりも短くし、
前記中央搬送ベルトの周長に合わせて前記駆動ローラと、前記従動ローラと、前記テンションローラとを配置し、
前記テンションローラの軸に設けられた付勢部材によって前記テンションローラで前記中央搬送ベルトと前記側部搬送ベルトにテンションを掛けた状態で前記記録媒体を搬送する、記録媒体の搬送方法。
【請求項７】
前記中央搬送ベルトの裏面の全周にわたって等間隔に刻んだスリットを、前記中央搬送ベルトと前記側部搬送ベルトの内周部であり前記駆動ローラと前記従動ローラとの間に位置に配置したプラテンの表面であり、前記スリットに対向する位置に設けたエンコーダセンサで検知し、前記中央搬送ベルトの移動量を測定する、請求項６に記載の記録媒体の搬送方法。
【発明の詳細な説明】
【技術分野】
【０００１】
本発明は搬送ベルトにより記録媒体を搬送する搬送機構、およびそれを有する記録装置に関する。
【背景技術】
【０００２】
インクジェット記録装置は記録ヘッドに設けられた複数のノズルから微小なインク滴を吐出し、記録媒体上に画像を形成するものである。記録ヘッドは、記録媒体の幅方向に移動可能に設けられたキャリッジに搭載されて、記録媒体の幅方向に移動しながら幅方向全域に記録を行う形態や、記録媒体の幅方向全域に一列に配置され、記録を行う形態などがある。
【０００３】
インクジェット記録装置における記録媒体の搬送方法としては、駆動ローラを含む複数のローラ間に無端状のベルト（以下、「搬送ベルト」と呼ぶ）を掛け回し、記録媒体を搬送ベルト表面に密着させて搬送するものがある。記録媒体の搬送ベルトへの密着向上方法の１つとしては、搬送ベルトの表面に電荷を付加して静電気力により記録媒体をベルトに吸着させる静電吸着方式がある。
【０００４】
また、搬送ベルトを用いた搬送機構における搬送ベルトの制御方法としては、搬送ベルト自体の動きを直接検知し、搬送ベルトの制御を行う方法が考案されている（例えば特許文献１）。これは搬送ベルトの一部にスケールパターンを一体に形成し、または搬送ベルト表裏どちらかの面にスケール部材を貼付し、それをエンコーダで読み取るものである。このような搬送機構では、搬送ベルトに静電吸着された記録媒体は搬送ベルトと一体で動いていると考えることができる。すなわち、搬送ベルトの動きを読み取ることは、記録媒体の動きを直接読み取っていることと等しいものと考えることができ、高精度の搬送を可能とするものである。
【０００５】
このような搬送ベルトによる静電吸着搬送方式を採用した記録装置において、記録媒体の端部に余白を生じさせない、いわゆる「縁なし記録」を行う場合には、複数の搬送ベルトを、搬送される記録媒体の幅方向に並べる（例えば特許文献２）。縁なし記録を行う場合、記録媒体の外側にインクが吐出されるため、それらの搬送ベルトを記録媒体の幅方向の両端部に隙間ができるように配置すると、インクで搬送ベルトが汚れないようにすることができる。この方法では、多様なサイズの記録媒体に対応するため、それぞれのサイズの記録媒体の幅方向両端部に空間ができるように搬送ベルトが複数配置されている（特許文献２、図４参照）。これによって、記録媒体の外側に吐出されたインクはこの空間に至るため、搬送ベルトが汚れることはない。
【０００６】
複数の搬送ベルトによる記録媒体の搬送では、各搬送ベルトの材質の違い、または、各搬送ベルトの周長や厚みの差などによって各搬送ベルトの移動速度がばらついてしまい、結果として搬送ベルトごとに記録媒体の搬送量がばらついてしまう。そのため、記録媒体をまっすぐに搬送できないという問題が発生している。この問題の解決のために、複数ある搬送ベルトのうち、特定の搬送ベルトの搬送力を他の搬送ベルトよりも上げる構成とするものが考えられている（例えば特許文献３）。この方法では、特定の搬送ベルトを除く、搬送力の小さい搬送ベルトにおいては、記録媒体と搬送ベルトとの間に滑りを発生させ、搬送力の大きな特定の搬送ベルトにより記録媒体を搬送させ、搬送ベルトごとの記録媒体の搬送量のばらつきを減らしている。また、各搬送ベルトの記録媒体の搬送速度の差を補正するために、各搬送ベルトの動きを検知して、各搬送ベルトを独立して駆動させる方法も考えられている（例えば特許文献４）。
【先行技術文献】
【特許文献】
【０００７】
【特許文献１】特開２００７−２１０７２５号公報
【特許文献２】特開２００５−３０５６８８号公報
【特許文献３】特開２００７−１７５９０７号公報
【特許文献４】特開２００８−２００９７２号公報
【発明の概要】
【発明が解決しようとする課題】
【０００８】
上記の特許文献３、４の方法で、複数の搬送ベルトの記録媒体の搬送速度の違いをなくすためには、搬送ベルトごとに駆動機構や搬送ベルトの動きを検知する機構や搬送ベルトの動きを調節する機構を設けて各搬送ベルトの駆動力や動きを調節することとなる。このことは、コストの増加や記録装置の大型化につながる。また、各搬送ベルトに駆動機構や移動検知機構および動きの調節機構がそれぞれ設けられていない場合、各搬送ベルトの搬送速度の違いをなくすためには、各搬送ベルトにテンションを掛け、搬送ベルトの弛みをなくすことが必要となる。実際の搬送ベルトは、その材質や製造方法により周長に誤差が生じている場合がある。そのため、各搬送ベルトを弾性率の高い材質で形成した場合、同一のテンションローラにすべての搬送ベルトを掛け回すと、各搬送ベルトの伸縮が小さいため、すべての搬送ベルトにテンションを掛けることは困難である。具体的には、最も周長の長い搬送ベルトにはテンションを掛けることが困難である。したがって、搬送機構が有する複数のローラに加えて、さらに、搬送ベルトごとにテンションローラを設けることになる。このようにすると、各搬送ベルトのすべてにテンションを掛けることができるが、コストが増加したり、装置が大きくなったりする。
【０００９】
搬送ベルトを伸縮が可能である弾性率の低い材質で形成する場合は、１つのローラで、すべての搬送ベルトにテンションを掛けることができる。しかし、搬送ベルトを弾性率の低い材質で形成した場合、前述の特許文献１の方法によって記録媒体の搬送精度を高めるために搬送ベルトの移動量を直接検出することは困難である。具体的には、搬送ベルトの伸縮が大きいため、搬送ベルトの精確な移動量の検出が困難になり、記録媒体の搬送精度が悪化してしまう。
【００１０】
そこで本発明はこのような課題を解決し、複数の搬送ベルトを有する搬送機構において、コストの増加や装置の大型化をすることなく、記録媒体の高精度の搬送を可能とする、搬送機構とそれを有する記録装置を提供する。
【課題を解決するための手段】
【００１１】
本発明の記録媒体の搬送機構は、モータにより駆動される駆動ローラと、従動ローラと、テンションローラとに掛け回された無端状の中央搬送ベルトと側部搬送ベルトとを有する。また、中央搬送ベルトは、搬送される記録媒体の幅方向の中央に位置し、側部搬送ベルトは中央搬送ベルトの幅方向の両側にそれぞれ位置する。また、中央搬送ベルトは弾性率の高い材料で構成されており、側部搬送ベルトは弾性率の低い材料で構成されおり、テンションローラの軸には中央搬送ベルトと側部搬送ベルトとにテンションを掛るための付勢部材が設けられている。テンションの掛かっていない状態において、側部搬送ベルトの周長は中央搬送ベルトの周長に比べて短くなっている。
【発明の効果】
【００１２】
本発明によると、１つのテンションローラですべての搬送ベルトにテンションを掛けることができ、さらに搬送ベルトの移動量を精確に直接検知できるので、コストの増加や装置の増大化を抑えつつ、記録媒体を高精度に搬送することができる。
【図面の簡単な説明】
【００１３】
【図１】本発明に係るインクジェット記録装置の記録媒体搬送機構の概略斜視図である。
【図２】図１の記録媒体搬送機構の詳細を示す概略図であり、（ａ）は記録媒体搬送機構の上面図、（ｂ）は側面図である。
【図３】図１の記録媒体搬送機構の側部搬送ベルト移動機構を示す概略斜視図である。
【図４】Ｌ版の記録媒体の縁なし記録を行う場合の搬送ベルトの位置を示す記録媒体搬送機構の上面図である。
【図５】Ａ４版の記録媒体の縁なし記録を行う場合の搬送ベルトの位置を示す記録媒体搬送機構の上面図である。
【発明を実施するための形態】
【００１４】
以下に、添付の図面に基づき、本発明の実施の形態の詳細について説明する。なお、同一の機能を有する構成には添付図面中、同一の番号を付与し、その説明を省略することがある。
【００１５】
図１は、本発明に係るインクジェット記録装置の記録媒体搬送機構１の概略斜視図である。
【００１６】
記録媒体搬送機構１は、シート状の記録媒体５を搬送するため、中央搬送ベルト２と、中央搬送ベルト２の幅方向の両側に位置する側部搬送ベルト３、４が設けられている。記録媒体５の搬送経路上の搬送ベルト２〜４の表面が、記録媒体５を搬送する搬送面となる。中央搬送ベルト２と側部搬送ベルト３、４との間にはそれぞれ隙間１８を有する。搬送ベルト２〜４は無端状ベルトであり、その表面には絶縁層が形成されている。側部搬送ベルト３、４は中央搬送ベルト２の中心線Ｃに対して、対称に配置されている。この中心線Ｃは搬送される記録媒体５の幅方向の中心線と一致している。搬送ベルト２〜４は駆動ローラ６と、従動ローラ７と、後述する側部搬送ベルト移動機構２１の一部をなしており、付勢部材の一例であるばね９によってテンションをかけられたテンションローラ８とに掛け回されている。搬送ベルト２〜４の内周部であり、駆動ローラ６と従動ローラ７との間にはプラテン１０が配置されている。駆動ローラ６は搬送モータ１１に接続されており、搬送モータ１１により、駆動ローラ６が駆動され、テンションローラ８でテンションを掛けられた状態で搬送ベルト２〜４が駆動される。付勢部材は、ばね９に限られず、テンションローラ８をある特定の方向へ付勢するためのあらゆる機構が採用可能である。
【００１７】
また、記録媒体５の幅方向（図中の矢印Ｂ）に移動し記録を行う、インクタンク１２と記録ヘッド１３とを搭載したキャリッジ１４が設けられている。
【００１８】
記録媒体５は図示しない給紙機構から矢印Ａ方向に１枚ずつ記録媒体搬送機構１に搬送され、キャリッジ１４が記録媒体５の幅方向に往復動作し、記録が行われる。キャリッジ１４の往復動作と合わせて記録媒体５は徐々に矢印Ａ方向へと搬送され、記録が終了した記録媒体５は、搬送方向下流側へと排出される。
【００１９】
図２は、図１の記録媒体搬送機構１の詳細を示す概略図であり、（ａ）は記録媒体搬送機構１の上面図（一部透視図）、（ｂ）は側面図である。
【００２０】
中央搬送ベルト２の裏面には中心線Ｃに沿って全周にわたり等間隔に刻まれたスリット２ａが設けられている。またプラテン１０の表面であり、中央搬送ベルト２の裏面に設けられたスリット２ａに対向する位置にエンコーダセンサ１６が配置されている。エンコーダセンサ１６によってスリット２ａを検知して中央搬送ベルト２の移動量を測定する。搬送モータ１１は、搬送モータ１１の動作を制御する制御部（図示せず）によって制御される。そして、制御部からの指示により、エンコーダセンサ１６によって検知する中央搬送ベルト２の移動量に応じて、搬送モータ１１の駆動や停止が行われる。
【００２１】
記録媒体５の搬送経路ではない位置で搬送ベルト２〜４は駆動ローラ６と給電ローラ１７とに挟まれている。本実施形態では、搬送ベルト２〜４は、駆動ローラ６と給電ローラ１７とに挟まれているが、給電ローラ１７と、従動ローラ７またはテンションローラ８とに挟まれるようにしてもよい。さらに、給電ローラ１７には記録媒体５の搬送時に電圧が印加され、搬送ベルト２〜４の表面に電荷を与える。前述のように搬送ベルト２〜４の表面を絶縁層としているため、この電荷は搬送ベルト２〜４の表面に留まり、搬送されてきた記録媒体５と搬送ベルト２〜４の表面、つまり記録媒体５の搬送面との間に静電力を発生し、両者が吸着する機構となっている。
【００２２】
ここで中央搬送ベルト２は、例えばポリイミドやＥＴＦＥ（エチレン・４フッ化共重合体）といった弾性率の高い材質で、また側部搬送ベルト３、４は、例えばＥＰＤＭ（エチレン−プロピレン−ジエンゴム）といった弾性率の低い材質で作られている。またテンションのかかっていない状態において、中央搬送ベルト２の周長は側部搬送ベルト３、４の周長に比べて若干長く設定されている。中央搬送ベルト２は弾性率が高く伸縮が少ないため、各ローラ６〜８同士の軸間距離は、この中央搬送ベルト２に合わせることになる。逆に側部搬送ベルト３、４は弾性率が低いため、中央搬送ベルト２によって決定された軸間距離に合わせて伸縮することとなる。
【００２３】
このように、中央搬送ベルト２を弾性率の高い材料で構成することで、中央搬送ベルト２の伸縮が小さいため、エンコーダセンサ１６で高精度に中央搬送ベルト２の移動量を直接検知することができる。また、側部搬送ベルト３、４を弾性率の低い材料で構成し、側部搬送ベルト３、４の周長を中央搬送ベルト２の周長に比べて短くする。そして、各ローラ６〜８同士の軸間距離を中央搬送ベルト２の長さにあわせることで、各搬送ベルト２〜４が各ローラ６〜８に掛け回されると、側部搬送ベルト３、４にはテンションが掛けられることになる。また、後述するが、テンションローラ８にて搬送ベルト２〜４にさらにテンションを掛けることが可能である。そのため、従来技術のように、搬送ベルトの動きを直接検知して記録媒体５を高精度に搬送することが困難であったり各搬送ベルト２〜４に異なるテンションが掛かるような機構を設けたりする必要がない。
【００２４】
図３は、側部搬送ベルト移動機構２１を示す概略斜視図である。テンションローラ８は、テンション軸１９と、テンション軸１９と同軸上でありテンション軸１９に対して空転可能に設けられたローラである中央カラー２２と、中央カラー２２の両側部に位置する側部カラー２３、２４とからなる。中央カラー２２には中央搬送ベルト２（図１参照）、側部カラー２３、２４には側部搬送ベルト３、４（図１参照）がそれぞれ掛け回される。側部カラー２３、２４の両端部にはフランジ２５、２６が設けられ、フランジ２５、２６によって、側部搬送ベルト３、４の幅方向の動きが規制される。ちなみに、テンション軸１９には、上述したようにばね９（図１参照）が接続されており、テンションローラ８で搬送ベルト２〜４にテンションを加えられるようになっている。
【００２５】
また、円筒部３３ａと、円筒部３３ａの両端部からフランジ２５を挟むように延びている端板３３ｂとを有する移動レバー３３が設けられている。同様に、円筒部３４ａと、円筒部３４ａの両端部からフランジ２６を挟むように延びている端板３４ｂとを有する移動レバー３４が設けられている。
【００２６】
円筒部３３ａ、３４ａには、断面が丸い棒状のリードスクリュー３５、３６がそれぞれ貫通して設けられており、さらに、円筒部３３ａ、３４ａの内部には、軸３７、３８がそれぞれ内側に向かって設けられている。リードスクリュー３５、３６の表面には互いに逆向きの溝３５ａ、３６ａが切られており、円筒部３３ａ、３４ａの内部において、軸３７、３８が溝３５a、３６ａにそれぞれ嵌合している。リードスクリュー３５、３６の幅方向外側に位置する端部は、シャシ３９にそれぞれ回転可能に軸支されるとともに、幅方向中央部の端部はギア４０、４１とそれぞれが結合している。ギア４０、４１には搬送ベルト移動モータ５１が接続されている。また移動レバー３３の一部には遮蔽板３３ｃが設けられていて、シャシ３９に固定されたフォトセンサ５２によってその位置が検知される。上述のように、リードスクリュー３５、３６に切られている溝３５ａ、３６ａが互いに逆向きであるため、搬送ベルト移動モータ５１の駆動に対して、移動レバー３３、３４を同時に幅方向中央部へ、または同時に幅方向外側へと移動させることができる。この移動レバー３３、３４の動きにより、移動レバー３３、３４の両端部に挟まれた側部カラー２３、２４が軸１９に沿って中央カラー２２に近接または離間することとなる。
【００２７】
この機構により、搬送モータ１１を駆動して搬送ベルト２〜４を回転させつつ、搬送ベルト移動モータ５１を駆動して、側部カラー２３、２４を移動させると、側部搬送ベルト３、４は側部カラー２３、２４にならって、その幅方向位置を移動させることができる。つまり、側部搬送ベルト３、４を中央搬送ベルト２に対し近接または離間させることができる。フォトセンサ５２によって側部カラー２３の位置を検知し、指定位置に側部カラー２３が到達したら搬送ベルト移動モータ５１を停止させ、側部カラー２３、２４の移動を停止させる。
【００２８】
録媒体５として多様な大きさのものが利用されるが、ここでは小さいサイズの一例としてＬ版の記録媒体５ａと大きいサイズの一例としてＡ４版の記録媒体５ｂに記録を行う場合について説明を行う。
【００２９】
図４は、Ｌ版の記録媒体５ａの縁なし記録を行う場合の搬送ベルト２〜４の位置を示す記録媒体搬送機構１の上面図である。実線で示されているのがＬ版の記録媒体５ａであり、破線で示されているのが、Ａ４版の記録媒体５ｂである。
【００３０】
中央搬送ベルト２の幅は記録媒体５ａより若干小さくする。側部搬送ベルト３、４の中央側端部３ａ、４ａは中央搬送ベルト２の幅方向端部とは離れた位置に配置し、中央搬送ベルト２と側部搬送ベルト３、４との隙間１８上に記録媒体５ａの幅方向の端部が来るようにしている。またこの状態において、搬送ベルト３、４の外側端部３ｂ、４ｂはＡ４版の記録媒体５ｂの幅方向端部よりそれぞれ外側となるように設定されている。
【００３１】
記録媒体５ａの幅方向端部からはみ出して吐出されたインク滴は隙間１８内へと着弾する。したがって、本発明の移動機構により、搬送ベルト２〜４を汚すことなく、記録媒体５ａには端部に余白のない縁なし記録を行うことができる。また、テンションローラ８にて搬送ベルト２〜４にテンションが掛かっているため、中央搬送ベルト２の移動量を精確に検知できるため、記録媒体５ａをより精確に搬送できる。
【００３２】
図５はＡ４版の記録媒体５ｂの縁なし記録を行う場合の搬送ベルト２〜４の位置を示す記録媒体搬送機構１の上面図である。側部搬送ベルト３、４が前述した側部搬送ベルト移動機構２１により幅方向中央側に移動され、中央搬送ベルト２と側部搬送ベルト３、４との隙間１８が小さくなっている。このとき、側部搬送ベルト３、４の外側端部３ｂ、４ｂが幅方向中央部に移動することになり、記録媒体５ｂの幅方向両端部より内側に位置するようになっている。これにより前述のＬ版の記録媒体５ａの場合と同様、Ａ４版の記録媒体５ｂの幅方向両端部からはみ出して吐出されたインク滴は側部搬送ベルト３、４の外側に着弾する。したがって、側部搬送ベルト３、４を汚すことなく、記録媒体５ｂにも、端部に余白のない縁なし記録を行うことができる。また、上述のＬ版の記録媒体５ａの場合と同様に、テンションローラ８にて搬送ベルト２〜４にテンションが掛かっているため、中央搬送ベルト２の移動量を精確に検知できるため、記録媒体５ｂをより精確に搬送できる。
【００３３】
なお、プラテン１０の、中央搬送ベルト２と側部搬送ベルト３、４との隙間１８および側部搬送ベルト３、４の外側のインク液が着弾する位置にインク吸収体を設けて、インク液滴を保持することが望ましい。
【００３４】
以上、説明したように、本発明では、中央搬送ベルト２を弾性率の高い材料で構成することで、中央搬送ベルト２は伸縮しにくくなり、中央搬送ベルト２の移動量をより精確に直接検知することができるため、記録媒体を高精度に搬送することができる。また、中央搬送ベルトや記録媒体の移動量を検知する機器を増設する必要がないため、コストの増加や装置の増大化を抑えられる。
【００３５】
本発明では、側部搬送ベルト３、４を弾性率の低い材料で構成し、側部搬送ベルト３、４の周長を中央搬送ベルト２の周長に比べて短くする。このようにすることで、各ローラ６〜８の軸間距離を中央搬送ベルト２に合わせると、中央搬送ベルト２の周長よりも側部搬送ベルト３、４の周長を短くしているので、側部搬送ベルト３、４は伸びてテンションが掛かった状態になる。さらに、１つのテンションローラ８にすべての搬送ベルト２〜４を掛け回すことで、テンションローラ８ですべての搬送ベルト２〜４にテンションを掛けることができる。そのため、搬送ベルト２〜４ごとに別のテンションローラ８を設ける必要がないので、コストの増加や装置の大型化を抑制できる。
【００３６】
なお、本実施形態の説明では搬送ベルト２〜４を３本とし、Ｌ版とＡ４版の２種類のサイズの記録媒体５ａ、５ｂについて説明を行った。さらに、中央搬送ベルト２の両側部に側部搬送ベルト３、４を１本ずつではなく複数設けて、各記録媒体５の幅方向の両端に合わせて搬送ベルト同士の間の隙間１８を設定し、かつ、それらを移動可能に設ける。このようにすることで、様々なサイズの記録媒体５にも対応が可能となる。
【００３７】
上述の説明では、１つの側部搬送ベルト移動モータ５１で移動レバー３３、３４を移動させたが、側部搬送ベルト移動モータを２つ用意し、移動レバー３３、３４それぞれを個別に移動させられるようにしても良い。また、テンションローラ８は、ばね９を用いて搬送ベルト２〜４にテンションを掛けていたが、テンションローラ８によって搬送ベルト２〜４にテンション掛ける方法はこれに限定されるものではない。
【符号の説明】
【００３８】
１  記録媒体搬送機構
２  中央搬送ベルト
３、４側部搬送ベルト
５  記録媒体
６  駆動ローラ
７  従動ローラ
９  ばね（付勢部材）
１１搬送モータ
【図１】
0005517585.tif 000002
【図２】
0005517585.tif 000003
【図３】
0005517585.tif 000004
【図４】
0005517585.tif 000005
【図５】
0005517585.tif 000006